(57)【要約】【課題】ウォーターポンプのポンプ効率をさらに向上させると共に、構造は極めて簡単であるウォーターポンプのインペラを提供すること。【解決手段】羽根部支持台１の中心側寄りで膨らみ状となる凸弧状領域Ｓａと、前記羽根部支持台１の外周側寄りで窪み状となる凹弧状領域Ｓｂとから形成される羽根２が前記羽根部支持台１に放射状に形成されること。該羽根２は、前記羽根部支持台１と同一中心とした円形状開口の吸入ポート５の範囲内を入口案内部２１とすること。前記吸入ポート５の範囲外を出口案内部２２とし、任意の前記羽根２の入口案内部２１の外端の位置と、前記任意の羽根２に対して回転方向に隣接する羽根２の出口案内部２２の外端の位置は、前記羽根部支持台１の同一の直径線ｄ上に略位置してなること。    【選択図】図１
2008101553.tif 000002
【特許請求の範囲】
【請求項１】
羽根部支持台の中心側寄りで膨らみ状となる凸弧状領域と、前記羽根部支持台の外周側寄りで窪み状となる凹弧状領域とから形成される羽根が前記羽根部支持台に放射状に形成され、該羽根は、前記羽根部支持台と同一中心とした円形状開口の吸入ポートの範囲内を入口案内部とし、前記吸入ポートの範囲外を出口案内部とし、任意の前記羽根の入口案内部の外端の位置と、前記任意の羽根に対して回転方向に隣接する羽根の出口案内部の外端の位置は、前記羽根部支持台の同一の直径線上に略位置してなることを特徴とするウォーターポンプのインペラ。
【請求項２】
羽根部支持台の中心側寄りで膨らみ状となる凸弧状領域と、前記羽根部支持台の外周側寄りで窪み状となる凹弧状領域とから形成される羽根が前記羽根部支持台に放射状に形成され、該羽根は、前記羽根部支持台と同一中心とした円形状開口の吸入ポートの範囲内を入口案内部とし、前記吸入ポートの範囲外を出口案内部とし、任意の前記羽根の入口案内部と、前記任意の羽根と回転方向に向かって隣接する羽根の出口案内部が周方向において略並列状に形成されてなることを特徴とするウォーターポンプのインペラ。
【請求項３】
羽根部支持台の中心側寄りで膨らみ状となる凸弧状領域と、前記羽根部支持台の外周側寄りで窪み状となる凹弧状領域とから形成される羽根が前記羽根部支持台に放射状に形成され、該羽根は、前記羽根部支持台と同一中心とした円形状開口の吸入ポートの範囲内を入口案内部とし、前記吸入ポートの範囲外を出口案内部とし、任意の前記羽根の入口案内部の始端の位置から出口案内部の外端の位置までのなす角度は、前記隣接する羽根間のなす角度よりも大きくしてなることを特徴とするウォーターポンプのインペラ。
【請求項４】
請求項１,２又は３のいずれか１項の記載において、隣接する羽根同士の間に形成される略Ｕ字形状の溝形状部は、前記山形膨出部から外周方向に向かうにしたがって幅間隔が次第に狭くなるように形成されてなることを特徴とするウォーターポンプのインペラ。
【請求項５】
請求項１，２，３又は４のいずれか１項の記載において、前記任意の羽根の前記入口案内部の始端位置における入口角度は、約５°乃至３０°とし、前記出口案内部の外端位置の出口角度は約６０°乃至８５°としてなることを特徴とするウォーターポンプのインペラ。
【発明の詳細な説明】
【技術分野】
【０００１】
本発明は、ウォーターポンプのポンプ効率をさらに向上させると共に、構造は極めて簡単であるウォーターポンプのインペラに関する。
【背景技術】
【０００２】
従来、ウォーターポンプでは、複数の羽根が形成された樹脂製のインペラ本体部と、駆動軸を支持するボスの役目をなす金属製のブッシュ部とから構成されたインペラが存在する。この種のインペラでは、特許文献１の図１及び特許文献２の図５等に開示されているような複数の羽根を有している。これらの特許文献に見られる各羽根は、それぞれ反対方向に膨らむ２つの円弧状曲線が連続して形成されたものであり、円板形状のベースに放射状に配列されている。
【特許文献１】特開平６−１２９３９５号公報
【特許文献２】特開２００４−２８５９８０号公報
【発明の開示】
【発明が解決しようとする課題】
【０００３】
特許文献１及び特許文献２に開示されたインペラでは、それぞれの羽根は、前述したように、円弧状部分を有して形成されているものである。さらに、図７（Ａ）では、前記特許文献１及び２に略共通するインペラが記載されたものである。これはインペラａのベースの直径方向線寄りに傾いて形成され、傾き角度の角度は、比較的大きく形成されている。よってその羽根ｂの直径方向における長さは短く、傾き角は大きいので、外周に行くに従って、反回転方向に沿って、流れ易くしている。外周部で羽根が立上っているので、流体には大きなエネルギが与えられる。
【０００４】
しかし、その反面、インペラａから吐出された流体は、ポンプ壁に衝突したり、圧力が急激に変化することにより、キャビテーションにより多数の気泡が発生し、インペラを含めてウォーターポンプに悪影響を及ぼすことになる〔図７（Ｂ）参照〕。本発明の技術的課題（目的）は、前述したように、インペラの羽根によってキャビテーションが発生することを防止すると共に、インペラの高速回転時において性能を良好に維持することができ、流体の良好な流れを確保することにある。
【課題を解決するための手段】
【０００５】
そこで、発明者は上記課題を解決すべく鋭意，研究を重ねた結果、請求項１の発明を、羽根部支持台の中心側寄りで膨らみ状となる凸弧状領域と、前記羽根部支持台の外周側寄りで窪み状となる凹弧状領域とから形成される羽根が前記羽根部支持台に放射状に形成され、該羽根は、前記羽根部支持台と同一中心とした円形状開口の吸入ポートの範囲内を入口案内部とし、前記吸入ポートの範囲外を出口案内部とし、任意の前記羽根の入口案内部の外端の位置と、前記任意の羽根に対して回転方向に隣接する羽根の出口案内部の外端の位置は、前記羽根部支持台の同一の直径線上に略位置してなるウォーターポンプのインペラとしたことにより、上記課題を解決した。
【０００６】
請求項２の発明を、羽根部支持台の中心側寄りで膨らみ状となる凸弧状領域と、前記羽根部支持台の外周側寄りで窪み状となる凹弧状領域とから形成される羽根が前記羽根部支持台に放射状に形成され、該羽根は、前記羽根部支持台と同一中心とした円形状開口の吸入ポートの範囲内を入口案内部とし、前記吸入ポートの範囲外を出口案内部とし、任意の前記羽根の入口案内部と、前記任意の羽根と回転方向に向かって隣接する羽根の出口案内部が周方向において略並列状に形成されてなるウォーターポンプのインペラとしたことにより、上記課題を解決した。
【０００７】
請求項３の発明を、羽根部支持台の中心側寄りで膨らみ状となる凸弧状領域と、前記羽根部支持台の外周側寄りで窪み状となる凹弧状領域とから形成される羽根が前記羽根部支持台に放射状に形成され、該羽根は、前記羽根部支持台と同一中心とした円形状開口の吸入ポートの範囲内を入口案内部とし、前記吸入ポートの範囲外を出口案内部とし、任意の前記羽根の入口案内部の始端の位置から出口案内部の外端の位置までのなす角度は、前記隣接する羽根間のなす角度よりも大きくしてなるウォーターポンプのインペラとしたことにより、上記課題を解決した。
【０００８】
請求項４の発明は、前述の構成において、隣接する羽根同士の間に形成される略Ｕ字形状の溝形状部は、前記山形膨出部から外周方向に向かうにしたがって幅間隔が次第に狭くなるように形成されてなるウォーターポンプのインペラとしたことにより、上記課題を解決した。請求項５の発明を、前述の構成において、前記任意の羽根の前記入口案内部の始端位置における入口角度は、約５°乃至３０°とし、前記出口案内部の外端位置の出口角度は約６０°乃至８５°としてなるウォーターポンプのインペラとしたことにより、上記課題を解決した。
【発明の効果】
【０００９】
請求項１の発明によって、羽根は、凸弧状領域と、前記羽根部支持台の外周側寄りで窪み状となる凹弧状領域とから形成され、複数の前記羽根が前記羽根部支持台に放射状に形成されたものである。そして任意の前記羽根の入口案内部の外端の位置と、前記任意の羽根に対して回転方向に隣接する羽根の出口案内部の外端の位置が前記羽根部支持台の直径線上に略位置するようにしたことで、前記羽根部支持台の直径方向又は放射方向における任意の羽根の入口案内部と回転方向に隣接する羽根の出口案内部の形成範囲が広くなり、それぞれの羽根の出口案内部をより一層長くすることができる。
【００１０】
これによって、吸入ポートから送り出された流体は、長く形成された羽根の出口案内部に沿って外周に移送されることになり、この移送において流体は安定した流れを維持し、その流れの過程において、圧力は急激に変化することなく、緩やかに変化することができるので、流体がインペラから吐出ポートに滑らかに流れ込むため、キャビテーションによる気泡の発生を抑えることができる。
【００１１】
次に、請求項２の発明によって、任意の前記羽根の入口案内部と、前記任意の羽根と回転方向に向かって隣接する羽根の出口案内部が周方向において略並列状に形成されるようにしたことで、隣接する羽根同士によって構成される溝形状部が長い溝を構成することとなり、吸入ポートから羽根の入口案内部によって送り出される流体は、長い溝状の溝形状部を流れることができ、安定した流れ状態となり、キャビテーションの発生を抑えることができる。
【００１２】
請求項３の発明は、任意の前記羽根の入口案内部の始端の位置から出口案内部の外端の位置までのなす角度は、前記隣接する羽根間のなす角度よりも大きくしたことにより、前記任意の羽根の入口案内部の山形膨出部との付け根部である始端箇所から前記入口案内部の外端（終端）箇所の範囲において前記隣接する羽根の出口案内部が並列状態に形成配置されることになり、さらに、隣接する羽根によって略Ｕ字形状の囲まれた溝形状部が構成されることとなり、この溝形状部によって流体が出口案内部に効率的に送り出されるものである。
【００１３】
請求項４の発明によって、隣接する羽根同士の間に形成される略Ｕ字形状の溝形状部は、前記山形膨出部から外周且つ回転方向とは反対側の周方向に向かうにしたがって幅間隔が次第に狭くなるようにしたので、溝形状部を流れる流体は、羽根部支持台から外周側に向かうに従い次第に狭くなってゆくので、流体もその狭くなる付近では流速が増加する。
【００１４】
しかも、羽根の出口案内部は長くなっているので、急激な圧力の変動が無い状態で流体が移送されることができるものであり、勢いのある流体を乱れの少ない状態で吐出ポート側に移送することができる。請求項５の発明によって、前記任意の羽根の前記入口案内部の始端における入口角度は、約５°乃至３０°とし、前記出口案内部の出口角度は約６０°乃至８５°としたことによって、この範囲内で流体を最適な状態で吐出ポートに送り出すことができる。
【発明を実施するための最良の形態】
【００１５】
以下、本発明の実施形態について図面に基づいて説明する。まず本発明において、インペラについて説明する。インペラは、図５（Ａ）に示すように、ウォーターポンプのポンプケーシング５に駆動軸５４を介して装着されるものである。そして、該インペラは、図１（Ａ），（Ｂ）、図５（Ｃ）等に示すように、合成樹脂からなるインペラ本体Ａと、金属製のブッシュ４とから構成される。前記インペラ本体Ａは、前述したように、合成樹脂から形成されており、円板形状の羽根部支持台１の正面側に直径中心Ｑと同一の中心を有し、且つ該直径中心Ｑから該羽根部支持台１の軸方向に略裁頭円錐形状の山形膨出部１１が一体形成されている〔図１（Ａ），（Ｂ）及び図５（Ｃ）参照〕。
【００１６】
前記裁頭円錐形状の山形膨出部１１は、羽根部支持台１の正面から軸方向に沿って離れるにしたがって、直径が小さくなってゆく〔図１（Ｂ）参照〕。そして、前記山形膨出部１１を中心として、その周囲で且つその羽根部支持台１の表面側に複数の羽根２，２，…が略放射状に形成されたものである〔図１（Ａ），図５（Ｃ）参照〕。前記山形膨出部１１には、前記ブッシュ４がインサート装着され、該ブッシュ４は、インペラのボスとして、前記駆動軸５４が挿通固着されるボス孔４１が形成されている。
【００１７】
前記ブッシュ４のインサート装着については、前記インペラ本体Ａが合成樹脂にて成形される際に、鋳込みによって装着されたものである。各羽根２は、前記山形膨出部１１側寄りで、図１（Ａ），（Ｂ）及び図２等に示すように、インペラの駆動時における回転方向に対して凸弧状となるようにして形成された凸弧状領域Ｓａと、前記羽根部支持台１の外周側寄りで回転方向に対して凹弧状となるようにして形成された凹弧状領域Ｓｂとから構成されている〔図１（Ｃ），図２参照〕。
【００１８】
前記凸弧状領域Ｓａは、図１（Ｃ）及び図２に示すように前記羽根２がインペラＡの回転方向に向かって弧状又は湾曲状に膨出するように弧状の突起条として形成された部位のことをいう。また、前記羽根２が凹弧状領域Ｓｂに形成された形状とは、前記羽根２がインペラ本体Ａの回転方向に対して反対側にへこむように弧状又は湾曲状の突起条として形成された部位のことをいう。すなわち、前記凸弧状領域Ｓａと凹弧状領域Ｓｂとは膨出方向が相互に反対側となっている。さらに、前記凸弧状領域Ｓａは、前記凹弧状領域Ｓｂよりも急激なカーブを有している。換言すると、前記凹弧状領域Ｓｂは、前記凸弧状領域Ｓａよりも緩やかなカーブを有している。
【００１９】
さらに、具体的には、前記凸弧状領域Ｓａは、小さな曲率半径の弧が連続形成されたものであり、前記凹弧状領域Ｓｂは前記凸弧状領域Ｓａに比較して、大きな曲率半径の弧が連続形成されたものである。そして、前記凸弧状領域Ｓａから前記凹弧状領域Ｓｂへの変化は、緩やかな曲線によって連続している。前記凸弧状領域Ｓａから前記凹弧状領域Ｓｂに変化するポイントは、前記羽根２の全長の略中心位置となっている〔図１（Ｃ），図２参照〕。しかし、必ずしも前述した構成ではなく、前記凹弧状領域Ｓｂを前記凸弧状領域Ｓａよりも長くしてもよいし、或いは短くしても構わない。
【００２０】
前記羽根２は、前述したように、その形状から前記凸弧状領域Ｓａと前記凹弧状領域Ｓｂとから構成されたものであるが、さらに、羽根２の部分的な役割に応じて入口案内部２１と出口案内部２２と称せられる部位から構成されるものである。さらに、前記入口案内部２１と前記出口案内部２２とは、図２に示すように、前記羽根２の回転方向における面となる。この面とは、ポンプの駆動時において、前記インペラが回転しているときに、吸入ポート５２から送り込まれる流体に前記羽根２が直接作用して、前記流体をインペラの外方に押し出して吐出ポート側に吐出させる役目を行う面のことをいう。
【００２１】
前記入口案内部２１は、円形状の吸入ポート５２の外周縁に対応する位置よりもその内方側（山形膨出部１１側）に位置する部位である。すなわち、前記入口案内部２１とは、前記羽根２の付根箇所から、前記吸入ポート５２の外周縁に対応する位置までの範囲に形成された部位である。
【００２２】
前記入口案内部２１は、前記凸弧状領域Ｓａの範囲の一部に形成されたものである。また前記出口案内部２２とは、前記吸入ポート５２の外周縁に対応する位置よりもその外方側に位置する部位である。すなわち、前記出口案内部２２とは、前記羽根２の前記吸入ポート５２の外周縁に対応する位置から前記羽根部支持台１の外周縁の位置までの範囲に形成された部位である。そして、前記出口案内部２２は、前記凸弧状領域Ｓａの範囲の一部と、前記凹弧状領域Ｓｂとから形成されている。
【００２３】
次に、ポンプケーシング５は、主に、インペラ室５１と吸入ポート５２と吐出ポート５３とから構成され、前記インペラ室５１と前記吸入ポート５２とが同一軸芯を共有して形成されたものである。前記インペラ室５１には、軸受付きの駆動軸５４が装着されている。該駆動軸５４には、前記インペラのブッシュ４のボス孔４１を介して装着されている。
【００２４】
前記吸入ポート５２は、ポンプケーシング５に挿入されたインペラの羽根部支持台１の直径中心Ｑと同一中心となる円形状の開口部を有する通路である。そして、前記インペラにおける羽根２の入口案内部２１の外端の軌跡円と略等しい円周内側面である。さらに、インペラが装着されているインペラ室５１の外周よりさらに外方に吐出ポート５３が形成されている。前記インペラの山形膨出部１１の中心位置と、前記駆動軸５４の軸芯位置とは、同一位置に一致したものである。そして、前記インペラ（インペラ本体Ａ）の直径とは、前記駆動軸５４の軸芯を通過する。前記入口案内部２１の外端とは、前記羽根２における前記吸入ポート５２の外周縁に対応する位置のことである。
【００２５】
本発明では、複数の羽根２の枚数が７枚とした実施形態で説明するものであるが、必ずしもこの枚数によって限定されるものではなく、羽根２の枚数を６枚以下としたり、８枚以上とすることもある。複数の羽根２は、前記山形膨出部１１の周囲に等角度で形成されている。隣接する羽根２，２の位置構成は、以下に示す各条件によって決定される。
【００２６】
まず、第１の条件は、図１，図２に示すように、任意の羽根２の入口案内部２１の外端位置Ｐａと、前記任意の羽根２と回転方向に向かって隣接する羽根２の出口案内部２２の外端位置Ｐｂの位置とがインペラの羽根部支持台１における同一の直径線ｄ上に略位置しているものである。該直径線ｄとは、前記羽根部支持台１の直径中心Ｑの位置を通過する任意の仮想直線のことである。
【００２７】
前記入口案内部２１の外端位置Ｐａとは、前記入口案内部２１と吸入ポート５２の外周縁との交点の位置のことである。また、前記出口案内部２２の外端位置Ｐｂとは、前記出口案内部２２と羽根部支持台１の外周縁との交点の位置のことである。また入口案内部２１の外端位置Ｐａは前記出口案内部２２と連通している。
【００２８】
さらに、前記羽根２は、入口案内部２１の形状、すなわち、入口案内部２１の始端部２１１から外端位置Ｐａまでの形状は、前記山形膨出部１１の外周から軸方向に向かって急傾斜で突出するようにして形成され、インペラを側面より見た形状は、略三角形状である。また、出口案内部２２の形状、すなわち、前記入口案内部２１の外端位置Ｐａから前記出口案内部２２の外端位置Ｐｂまで形状は、インペラの側面より見て略長方形状である。そして、各羽根２は、山形膨出部１１の中心に向かうにしたがって、次第に面積が減少するように形成されている〔図１（Ｂ）参照〕。
【００２９】
ここで、前記外端位置Ｐａと前記外端位置Ｐｂとが、同一の直径線ｄに略位置するということは、前記外端位置Ｐａ及び外端位置Ｐｂが直径線ｄ上に正確に位置していることの他に、該直径線ｄに近接する位置であることも含まれる。該直径線ｄに近接する位置とは、直径線ｄを境にして、前記インペラの回転方向側の領域及び、前記回転方向とは反対側の領域のいずれも含まれる。
【００３０】
この第１の条件によって形成された複数の羽根２，２，…によって、各羽根２の全長は長くなり、任意の羽根２の入口案内部２１と回転方向に隣接する羽根２の出口案内部２２の範囲が広くなり、よって、それぞれの羽根２の出口案内部２２の範囲もより一層長く形成される。そして、任意の羽根２と、該任意の羽根２に隣接する羽根２同士の間に溝形状の部分、すなわち溝形状部２３が構成される。
【００３１】
すなわち、任意の羽根２の入口案内部２１と、任意の羽根２に隣接する羽根２の出口案内部２２の裏面側とが仕切り壁形状となり、該仕切り壁形状部分が略Ｕ字形状の溝形状部２３を構成することになる。そして、該溝形状部２３が吸入ポート５２から流入する流体を比較的長い範囲に亘って案内することとなり、これによって流体を比較的長い時間に亘って乱れの少ない状態に維持しながら、インペラの中心から外周側に移送することができる。そのために、流体には急激な流れの変化が生じないようにして、乱れの大きい状態とならずに吐出ポート側に送り込むことができ、よってキャビテーションの発生を防止することができるものである（図２参照）。
【００３２】
次に、第２の条件は、任意の羽根２の入口案内部２１に、前記任意の羽根２と回転方向に向かって隣接する羽根２の出口案内部２２が周方向において略並列状に配列形成されたものである。この条件によって、前記任意の羽根２の入口案内部２１の山形膨出部１１との付け根部である羽根２の始端箇所から前記入口案内部２１の外端位置Ｐａ箇所の範囲において前記隣接する羽根２の出口案内部２２の裏面側とが並列状態に形成配置されて溝形状部２３の部分を形成することになり、さらに隣接する羽根２，２によって略Ｕ字形状の囲まれた溝形状部２３が構成されることとなる。
【００３３】
この溝形状部２３によって流体が出口案内部２２に効率的に送り出されるものである。第２の条件における溝形状部２３は、前述した第１の条件における溝形状部２３の構成と略同一である。また、第２条件の羽根２の構成は、結果として第１条件の羽根２の構成に等しいものであり、図１及び図２は、第２条件の羽根２の構成を示す図面でもある。
【００３４】
次に、第３の条件では、図３に示すように、任意の羽根２の入口案内部２１の始端位置から出口案内部２２の外端位置Ｐｂの位置までに亘り、前記羽根部支持台１の中心位置とのなす形成角度θｂは、前記隣接する羽根２，２間のなす角度θａよりも大きくしたものである。すなわち、θｂ＞θａとしたものである。ここで、角度θａとは、全ての羽根２，２，…の枚数によって、羽根２，２，…の間隔が等間隔となるように設定された角度のことである。
【００３５】
この第３の条件によって、前記任意の羽根２の入口案内部２１の山形膨出部１１との付け根部である（羽根２の）始端箇所から前記入口案内部２１の外端位置Ｐａの範囲において前記隣接する羽根２，２の出口案内部２２が並列状態に形成配置されることになり、さらに、隣接する羽根２，２によって略Ｕ字形状に囲まれた溝形状部２３が構成されることとなり、この溝形状部によって流体が出口案内部２２に効率的に送り出されるものである。特に、第３の条件によって、各羽根２の全長をより一層長いものにすることができ、流体を安定した状態で移送させることができるものである。
【００３６】
さらに、隣接する前記羽根２，２同士の間に形成される略Ｕ字形状の溝形状部２３は、図４に示すように、前記山形膨出部１１から外周方向に向かうにしたがって、溝幅間隔が次第に狭くなるように形成されることがある。これは、前記羽根２を構成する凸弧状領域Ｓａと凹弧状領域Ｓｂとの曲率の大きさによって、隣接する羽根２，２の溝幅が山形膨出部１１から羽根部支持台１の外周に向かって次第に狭くなるようにしたものである。
【００３７】
そして、その溝幅間隔が最小間隔ｗとなる部分は、前記羽根２の直径方向における略中間位置付近である（図４参照）。このような構成としたことにより、吸入ポート５２から流入した流体は溝形状部２３を通過する間に次第に溝幅が狭くなり、それと共に流体の流速が次第に速くなる。このように流速が加速されることにより、流体の勢いも増して、吐出ポートに勢いのある流体を送り込むことができる。
【００３８】
さらに、前記任意の羽根２の前記入口案内部２１の始端における入口角度θｉは、約５°乃至３０°とし、前記出口案内部２２の出口角度θｏは、約６０°乃至８５°とすることがある。ここで入口角度θｉとは、前記吸入ポート５２の外周縁と前記羽根２との交点（外端位置Ｐａ）における垂線（接線）Ｌｉと、前記交点（外端位置Ｐａ）における羽根２の形成方向とのなす角である（図４参照）。さらに、出口角度θｏとは、前記羽根部支持台１の外周縁と前記羽根２の交点（外端位置Ｐｂ）における垂線（接線）Ｌｏと、前記交点（外端位置Ｐｂ）における羽根２の形成方向とのなす角である（図４参照）。前記入口角度θｉ及び出口角度θｏを上記の範囲に設定することにより、流体の流れをより一層良好にすることができる。
【００３９】
図６は、本発明における性能を示すグラフである。このグラフによれば、本発明のインペラの羽根２によって、キャビテーションが減少するため、インペラの高速回転時（３０００乃至４０００ｒｐｍ以上）では、同一回転数において従来技術のインペラよりも流量が増加することが開示されている。
【図面の簡単な説明】
【００４０】
【図１】（Ａ）は本発明のインペラの正面図、（Ｂ）はインペラの縦断側面図、（Ｃ）は（Ａ）の要部拡大図である。
【図２】本発明のインペラの作用を示す拡大図である。
【図３】任意の前記羽根の入口案内部の始端の位置から出口案内部の外端の位置までのなす角度を隣接する羽根間のなす角度よりも大きくしたインペラの要部拡大図である。
【図４】隣接する羽根同士の間に形成される略Ｕ字形状の溝形状部の幅間隔が次第に狭くなるように形成されたインペラの要部拡大図である。
【図５】（Ａ）は本発明のインペラがポンプケーシングに装着された縦断側面図、（Ｂ）は（Ａ）のＸ−Ｘ矢視断面図、（Ｃ）は本発明のインペラの斜視図である。
【図６】本発明において従来品よりも流量が増加している状態を示す流量と回転速度との関係のグラフである。
【図７】（Ａ）は従来技術におけるインペラの正面図、（Ｂ）は従来技術におけるインペラの作用を示す要部拡大正面図である。
【符号の説明】
【００４１】
１…羽根部支持台、２…羽根、２１…入口案内部、２２…出口案内部、５…吸入ポート、ｄ…直径線、Ｐａ…外端位置、Ｐｂ…外端位置、Ｓａ…凸弧状領域、Ｓｂ…凹弧状領域、入口角度…θｉ、出口角度…θｏ。
【図１】
2008101553.tif 000003
【図２】
2008101553.tif 000004
【図３】
2008101553.tif 000005
【図４】
2008101553.tif 000006
【図５】
2008101553.tif 000007
【図６】
2008101553.tif 000008
【図７】
2008101553.tif 000009